(57)【要約】【課題】一画面用に作成されたプレゼンテーション用のコンテンツを利用した場合であっても、複数の画面に異なるコンテンツを表示することができる。【解決手段】ＡＤＣ１０１は、映像信号入力端子１１３から入力される映像信号をデジタル化する。メモリ１０７は、ＡＤＣ１０１によりデジタル化された映像信号を一画面毎に記憶する。読み出し部１１０は、メモリ１０７から映像信号を読み出す。ＤＡＣ１１１は、読み出し部１１０が読み出した映像信号をアナログ化して映像信号出力端子１１４に出力する。スケーリング回路１０３は、ＡＤＣ１０１がデジタル化した映像信号をライトバルブ１０６に対応した画素数に変換する。ＤＡＣ１０４は、スケーリング回路１０３が変換した映像信号をアナログ化してドライバ１０５に出力する。ドライバ１０５は、ライトバルブ１０６を駆動して入力する映像信号の画像を投射する。【選択図】図２
2010117495.tif 000002
【特許請求の範囲】
【請求項１】
入力される映像信号を入力する入力部と、
前記入力部が入力する映像信号により表示される一画面毎の画像情報を記憶する記憶部と、
前記入力部が入力する映像信号、または前記記憶部に記憶されている画像情報を示す映像信号を出力する第１の出力部と、
前記入力部が入力する映像信号、または前記記憶部に記憶されている画像情報を示す映像信号を出力する第２の出力部と、
を備えたことを特徴とする画像処理装置。
【請求項２】
前記第１の出力部は、前記入力部が入力する映像信号を出力し、
前記第２の出力部は、前記記憶部に記憶されている画像情報を示す映像信号を出力する
ことを特徴とする請求項１に記載の画像処理装置。
【請求項３】
ユーザの操作を受ける操作部を備え、
前記記憶部は、複数画面分の画像情報を記憶し、
前記第２の出力部、または前記第１の出力部は、前記記憶部に記憶されている画像情報を示す映像信号を出力する場合、前記操作部が入力する画面を選択する指示に対応する画面の前記記憶部に記憶されている画像情報を選択して出力する
ことを特徴とする請求項１に記載の画像処理装置。
【請求項４】
ユーザの操作を受ける操作部を備え、
前記記憶部は、前記操作部が入力する画面を記憶させる指示に応じて前記入力部が入力する映像信号により表示される一画面毎の画像情報を記憶する
ことを特徴とする請求項１に記載の画像処理装置。
【請求項５】
前記入力部が入力する映像信号、または前記記憶部から読み出した画像情報を示す映像信号を切り替えて出力する第１の読出部を備え、
前記第１の出力部は、前記第１の読出部から出力される映像信号を出力する
ことを特徴とする請求項１から４のいずれか１つに記載の画像処理装置。
【請求項６】
前記入力部が入力する映像信号、または前記記憶部から読み出した画像情報を示す映像信号を出力する第２の読出部を備え、
前記第２の出力部は、前記第２の読出部から出力される映像信号を出力する
ことを特徴とする請求項１から５のいずれか１つに記載の画像処理装置。
【請求項７】
前記入力部が入力する映像信号において画面が切り替わったことを検出する画像切替検出部を備え、
前記記憶部は、前記画像切替検出部が画面の切り替わりを検出した場合に、前記入力部が入力する映像信号により表示される一画面分の画像情報を記憶する
ことを特徴とする請求項１から５のいずれか１つに記載の画像処理装置。
【請求項８】
前記画像切替検出部は、前記入力部が入力する映像信号における画面の差分情報を検出し、検出した差分情報に基づいて、画面が切り替わったことを検出する
ことを特徴とする請求項６に記載の画像処理装置。
【請求項９】
前記入力部には、映像信号を出力する画像出力装置が接続されており、
前記画像切替検出部は、前記画像出力装置に対する画面の切り替え指示信号を検出し、検出した切り替え指示信号に基づいて、画面が切り替わったことを検出する
ことを特徴とする請求項６に記載の画像処理装置。
【請求項１０】
入力される映像信号を入力する入力部と、
前記入力部が入力する映像信号により表示される一画面毎の画像情報を記憶する記憶部と、
前記入力部が入力する映像信号が示す画像を表示する表示部と、
前記記憶部に記憶されている画像情報を示す映像信号を他の画像表示装置に出力する出力部と、
を備えたことを特徴とする画像表示装置。
【請求項１１】
入力される映像信号を入力する入力部と、
前記入力部が入力する映像信号により表示される一画面毎の画像情報を記憶する記憶部と、
前記入力部が入力する映像信号が示す画像を表示する第１の画像表示装置と、
前記記憶部に記憶されている画像情報が示す画像を表示する第２の画像表示装置と、
を備えたことを特徴とする画像表示システム。
【発明の詳細な説明】
【技術分野】
【０００１】
本発明は、画像処理装置、画像表示装置及び画像表示システムに関する。
【背景技術】
【０００２】
近年、パーソナルコンピュータとプロジェクタを利用し、パーソナルコンピュータのアプリケーションソフトウェアで作成したプレゼンテーションのコンテンツをプロジェクタを用いてスクリーン等に投射することにより行われるプレゼンテーションが一般的になっている。
【０００３】
このとき、通常のプロジェクタでは、パーソナルコンピュータの画面をそのまま投射するため、聴衆に対して１画面ずつの情報、すなわち時系列での情報提示しかできないため、異なるスライドを比較して見せたり、全体の中での位置付けを見せるためには、スライドの構成を工夫する必要があった。
【０００４】
これらを行う手段として、２台のプロジェクタを利用する手段や、投射する画面を複数に分割して異なる情報をそれぞれに表示することが可能な特殊なプロジェクタを用いる手段や、特許文献１に記載された手段が存在する。
【特許文献１】特開２００８−１４９６１号公報
【発明の開示】
【発明が解決しようとする課題】
【０００５】
しかしながら、２台のプロジェクタを利用するためには、プレゼンテーション用のコンテンツとは別にコンテンツを作成したり、特別なアプリケーションを利用する必要があり、プロジェクタ１台でプレゼンテーションを行う場合とは別の作業が必要となり、ユーザの作業効率を低下させるという問題がある。
【０００６】
また、投射する画面を複数に分割して異なる情報をそれぞれに表示することが可能な特殊なプロジェクタでは、分割することによりそれぞれの画面が小さくかつ解像度が低下するという問題がある。
【０００７】
また、特許文献１に記載された手段では、一つのアプリケーションから複数の表示装置に異なる情報を表示する場合に、ディスプレイの接続状態を検出して切り替えを行うことを可能としているが、マルチモニタ対応のアプリケーションという特殊なアプリケーションを利用しなければならないという問題がある。
【０００８】
本発明は、上記の問題に鑑みてなされたものであり、その目的は、一画面用に作成されたプレゼンテーション用のコンテンツを利用した場合であっても、複数の画面に異なるコンテンツを表示することができる画像処理装置、画像表示装置及び画像表示システムを提供することにある。
【課題を解決するための手段】
【０００９】
本発明は上記の課題を解決するためになされたものであり、本発明の一態様は、入力される映像信号を入力する入力部と、前記入力部が入力する映像信号により表示される一画面毎の画像情報を記憶する記憶部と、前記入力部が入力する映像信号、または前記記憶部に記憶されている画像情報を示す映像信号を出力する第１の出力部と、前記入力部が入力する映像信号、または前記記憶部に記憶されている画像情報を示す映像信号を出力する第２の出力部と、を備えたことを特徴とする画像処理装置である。
【００１０】
また、本発明の一態様は、上記の画像処理装置において、前記第１の出力部は、前記入力部が入力する映像信号を出力し、前記第２の出力部は、前記記憶部に記憶されている画像情報を示す映像信号を出力することを特徴とする。
【００１１】
また、本発明の一態様は、入力される映像信号を入力する入力部と、前記入力部が入力する映像信号により表示される一画面毎の画像情報を記憶する記憶部と、前記入力部が入力する映像信号が示す画像を表示する表示部と、前記記憶部に記憶されている画像情報を示す映像信号を他の画像表示装置に出力する出力部と、を備えたことを特徴とする画像表示装置である。
【００１２】
また、本発明の一態様は、入力される映像信号を入力する入力部と、前記入力部が入力する映像信号により表示される一画面毎の画像情報を記憶する記憶部と、前記入力部が入力する映像信号が示す画像を表示する第１の画像表示装置と、前記記憶部に記憶されている画像情報が示す画像を表示する第２の画像表示装置と、を備えたことを特徴とする画像表示システムである。
【００１３】
この発明によれば、入力された映像信号により表示される一画面毎の画像情報を記憶するため、プレゼンテーション中にこれまで表示した画像を表示することができる。このため、２画面用に特別にコンテンツを作成したり、専用のアプリケーションソフトやドライバを用いることなく、２つの画面に異なるコンテンツを同時に表示することができる。つまり、一画面用に作成したプレゼンテーション用のコンテンツを用いた場合であっても、複数の画面に異なるコンテンツを表示することができる。これにより、１画面用に作成したプレゼンテーション用のコンテンツを活用して、容易に聴衆の理解を高める２画面プレゼンテーションを行なうことができる。
【００１４】
また、本発明の一態様は、上記の画像処理装置において、ユーザの操作を受ける操作部を備え、前記記憶部は、複数画面分の画像情報を記憶し、前記第２の出力部、または前記第１の出力部は、前記記憶部に記憶されている画像情報を示す映像信号を出力する場合、前記操作部が入力する画面を選択する指示に対応する画面の前記記憶部に記憶されている画像情報を選択して出力することを特徴とする。
【００１５】
この発明によれば、ユーザは操作部を用いて各画面に表示する画像を選択することができる。これにより、例えば１画面に目次を表示し、他の画面に現在説明している事項を表示したり、予測と結果、仮説と実証結果のように対比する事項が書かれたスライドを並べて表示することができるため、聴衆の理解を促進するプレゼンテーションを行うことができる。
【００１６】
また、本発明の一態様は、上記の画像処理装置において、ユーザの操作を受ける操作部を備え、前記記憶部は、前記操作部が入力する画面を記憶させる指示に応じて前記入力部が入力する映像信号により表示される一画面毎の画像情報を記憶することを特徴とする。
【００１７】
この発明によれば、ユーザは記憶部に記憶する画像を選択することができる。このため、必要な画像のみを記憶することができ、効率よく記憶領域を使用できる。また、余計な画像を記憶していないため、画面に表示する画像を選択し易くなる。
【００１８】
また、本発明の一態様は、上記の画像処理装置において、前記入力部が入力する映像信号、または前記記憶部から読み出した画像情報を示す映像信号を切り替えて出力する第１の読出部を備え、前記第１の出力部は、前記第１の読出部から出力される映像信号を出力することを特徴とする。
【００１９】
この発明によれば、第１の出力部から出力される映像信号を、入力された映像信号と記憶部から読み出した画像情報を示す映像信号とに切り替えることができる。このため、例えば次のプレゼンテーションの準備を行うためにパーソナルコンピュータの画面を表示したくない場合に、前のプレゼンテーションで記憶させた画像を表示することができる。
【００２０】
また、本発明の一態様は、上記の画像処理装置において、前記入力部が入力する映像信号、または前記記憶部から読み出した画像情報を示す映像信号を出力する第２の読出部を備え、前記第２の出力部は、前記第２の読出部から出力される映像信号を出力することを特徴とする。
【００２１】
この発明によれば、第２の出力部から出力される映像信号を、入力された映像信号と記憶部から読み出した画像情報を示す映像信号とに切り替えることができる。このため、例えば、現在説明している事項に聴衆を集中させたい場合は同じ画像を２画面に表示するなど、説明内容に合わせて柔軟に表示する画像を変更することができる。
【００２２】
また、本発明の一態様は、上記の画像処理装置において、前記入力部が入力する映像信号において画面が切り替わったことを検出する画像切替検出部を備え、前記記憶部は、前記画像切替検出部が画面の切り替わりを検出した場合に、前記入力部が入力する映像信号により表示される一画面分の画像情報を記憶することを特徴とする。
【００２３】
また、本発明の一態様は、上記の画像処理装置において、前記画像切替検出部は、前記入力部が入力する映像信号における画面の差分情報を検出し、検出した差分情報に基づいて、画面が切り替わったことを検出することを特徴とする。
【００２４】
また、本発明の一態様は、上記の画像処理装置において、前記入力部には、映像信号を出力する画像出力装置が接続されており、前記画像切替検出部は、前記画像出力装置に対する画面の切り替え指示信号を検出し、検出した切り替え指示信号に基づいて、画面が切り替わったことを検出することを特徴とする。
【００２５】
この発明によれば、画面が切り替わると自動的にその画面に表示されている画像を記憶部に記憶するため、説明者は画像記憶のための特別な操作をする必要がない。また、以前に表示した画像をいつでも他の画面に表示することができる。
【発明を実施するための最良の形態】
【００２６】
以下、図面を参照しながら本発明の実施形態について詳しく説明する。
図１は、本発明の実施形態による画像表示システムの構成を示す概略図である。
画像表示システムは、プレゼンテーション用のアプリケーションを起動するパーソナルコンピュータ（ＰＣ）３と、プロジェクタ１（ＰＪ１）及び２（ＰＪ２）と、プロジェクタ１を操作するリモコン４とを含んで構成される。
図に示すように、説明者は、リモコン４を操作しながらプレゼンテーションを行う。
ＰＣ３の映像信号出力端子とプロジェクタ１の映像信号入力端子とは接続されており、ＰＣ３から出力される映像信号はプロジェクタ１に入力される。また、プロジェクタ１の映像信号出力端子とプロジェクタ２の映像信号入力端子とは接続されており、プロジェクタ１から出力される映像信号はプロジェクタ２に入力される。本実施形態における映像信号は、アナログの映像信号であり、赤（Ｒ）、緑（Ｇ）、青（Ｂ）三色の映像信号と水平（Ｈ）、垂直（Ｖ）の同期信号から構成される。通常、これらの信号をまとめて映像信号と呼称する。
プロジェクタ１（第１の画像表示装置）は、ＰＣ３から入力された映像信号の画像を第１画面に投射して表示するプロジェクタである。また、プロジェクタ２（第２の画像表示装置）は、プロジェクタ１から入力された映像信号の画像を第２画面に投射して表示するプロジェクタである。
【００２７】
図２は、本実施形態におけるプロジェクタ１の機能構成を示すブロック図である。
プロジェクタ１は、アナログデジタルコンバータ（ＡＤＣ）１０１と、スケーリング回路１０３と、デジタルアナログコンバータ（ＤＡＣ）１０４と、ドライバ１０５と、ライトバルブ（Ｌ／Ｖ）１０６と、メモリ１０７と、読み出し部１１０と、デジタルアナログコンバータ（ＤＡＣ）１１１と、インタフェース（Ｉ／Ｆ）１１２とを含んで構成されるＲ，Ｇ，Ｂの３色それぞれに対応した３つの回路と、３色で共通する、タイミング回路１０２と、コントローラ１０８と、リモコン受信部１０９を備える。
【００２８】
ＡＤＣ１０１は、映像信号入力端子１１３（入力部）から入力される映像信号をデジタル化し、スケーリング回路１０３、読み出し部１１０及びメモリ１０７に出力する。タイミング回路１０２は、映像信号に含まれる同期信号に基づいて、ＡＤＣ１０１のサンプリングクロックなどの全体の動作に必要な各種タイミング信号を生成する。スケーリング回路１０３は、デジタル化された映像信号をライトバルブ１０６に対応した画素数に変換してＤＡＣ１０４に出力する。ＤＡＣ１０４は、デジタル化された映像信号をアナログ信号に変換し、ドライバ１０５に出力する。ドライバ１０５は、ライトバルブ１０６を駆動して入力された映像信号の画像を投射する。ライトバルブ１０６（表示部）は、透過光を変調する。なお、図２では省略したが、明るさ、コントラスト、色などの調整を行う回路がＡＤＣ１０１とスケーリング回路１０３の間に設けられており、台形補正回路がスケーリング回路１０３とＤＡＣ１０４の間に設けられている。また、ドライバ１０５とライトバルブ１０６の間には出力端子が設けられており、当該出力端子が第１の出力部である。
【００２９】
リモコン受信部１０９は、リモコン４の操作内容を受信し、コントローラ１０８に出力する。コントローラ１０８は、リモコン受信部１０９が受信した操作内容に基づいて、画像情報を記憶する指示をメモリ１０７に出力する。画像情報とは、デジタル化された映像信号の任意の一画面（フレーム）である。メモリ１０７（記憶部）は、記憶回路であり、コントローラ１０８の指示に応じて、ＡＤＣ１０１から入力される一画面（フレーム）毎の画像情報を記憶する。また、コントローラ１０８は、リモコン受信部１０９が受信した操作内容に基づいて、読み出し部１１０へ読み出す画像情報を指示する。なお、コントローラ１０８は、自動的に最先に記憶された画像を選択する。読み出し部１１０（第２の読み出し部）は、コントローラ１０８の指示に基づいてメモリ１０７から画像情報を読み出し、読み出した画像情報をＤＡＣ１１１に出力する。また、読み出し部１１０は、コントローラ１０８の指示に基づいて、ＡＤＣ１０１から出力される映像信号をＤＡＣ１１１に出力する。ＤＡＣ１１１は、入力された画像情報をアナログの映像信号に変換し、変換した映像信号をＩ／Ｆ１１２を介して映像信号出力端子１１４（第２の出力部、出力部）へ出力する。
【００３０】
図３は、本実施形態におけるリモコン４（操作部）の構成を示す概略図である。
図３（ａ）は、リモコン４の外観構成を示す概略図である。リモコン４には、レーザー光ＯＮスイッチ４２と操作ボタン部４１とが設けられている。レーザー光ＯＮスイッチ４２が押下されると、リモコン４はレーザーポインタを発光する。これにより、説明者はスクリーン上をレーザーポインタにより指し示すことができる。
図３（ｂ）は、操作ボタン部４１の外観構成を示す概略図である。操作ボタン部４１には、書き込みボタン４０１と、ＯＮ／ＯＦＦボタン４０２と、先送りボタン４０３と、戻りボタン４０４とが設けられている。書き込みボタン４０１は、メモリ１０７に画像情報を記憶する指示を受け付ける。書き込みボタン４０１が押下されると、リモコン４は、書き込みボタン４０１が押下されたことをプロジェクタ１に通知する。ＯＮ／ＯＦＦボタン４０２は、メモリ１０７に記憶されている画像情報を示す映像信号の出力のオンオフ切り替えを受け付ける。ＯＮ／ＯＦＦボタン４０２が押下されると、リモコン４は、ＯＮ／ＯＦＦボタン４０２が押下されたことをプロジェクタ１に通知する。先送りボタン４０３及び戻りボタン４０４は、メモリ１０７に記憶されている画像情報の選択を受け付ける。先送りボタン４０３が押下されると、リモコン４は、先送りボタン４０３が押下されたことをプロジェクタ１に通知する。戻りボタン４０４が押下されると、リモコン４は、戻りボタン４０４が押下されたことをプロジェクタ１に通知する。
【００３１】
図４は、本実施形態におけるプロジェクタ１及び２の光学系を示す概略図である。
照明光学系２２０は、光源２２１と、偏光変換素子２２２とを含んで構成される。光源２２１は、赤色光（以下、「Ｒ光」という。）、緑色光（以下、「Ｇ光」という。）、及び青色光（以下、「Ｂ光」という。）を含む光を供給する。偏光変換素子２２２は、光源２２１から供給された光を特定の振動方向を有する偏光光に変換する。偏光光に変換された光は、色分離光学系２３０を構成するＲ光透過ダイクロイックミラー２３１に入射する。
Ｒ光透過ダイクロイックミラー２３１は、Ｒ光を透過し、Ｇ光、Ｂ光を反射する。Ｒ光透過ダイクロイックミラー２３１を透過したＲ光は、反射ミラー２３２に入射する。反射ミラー２３２は、Ｒ光の光路を９０度折り曲げる。光路を折り曲げられたＲ光は、液晶ライトバルブ２１０Ｒに入射する。液晶ライトバルブ２１０Ｒは、Ｒ光を画像信号に応じて変調する透過型の液晶ライトバルブである。なお、ダイクロイックミラーを透過しても、光の偏光方向は変化しないため、液晶ライトバルブ２１０Ｒに入射するＲ光は、偏光光のままの状態である。また、液晶ライトバルブ２１０Ｒに接する状態で入射側偏光板２１１Ｒと出射側偏光板２１２Ｒが配置されている。液晶ライトバルブ２１０Ｒで変調されたＲ光は、色合成光学系であるクロスダイクロイックプリズム２６０に入射する。
【００３２】
一方、Ｒ光透過ダイクロイックミラー２３１で反射されたＧ光とＢ光とは、光路を９０度折り曲げられる。光路を折り曲げられたＧ光とＢ光とは、Ｂ光透過ダイクロイックミラー２３３に入射する。Ｂ光透過ダイクロイックミラー２３３は、Ｇ光を反射し、Ｂ光を透過する。Ｂ光透過ダイクロイックミラー２３３で反射されたＧ光は、Ｇ光を画像信号に応じて変調する液晶ライトバルブ２１０Ｇに入射する。液晶ライトバルブ２１０Ｇは、Ｇ光を画像信号に応じて変調する透過型の液晶ライトバルブである。また、液晶ライトバルブ２１０Ｇに接する状態で入射側偏光板２１１Ｇと出射側偏光板２１２Ｇが配置されている。液晶ライトバルブ２１０Ｇで変調されたＧ光は、色合成光学系であるクロスダイクロイックプリズム２６０に入射する。
【００３３】
Ｂ光透過ダイクロイックミラー２３３を透過したＢ光は、３枚のリレーレンズ２４１，２４２，２４３と、２枚の反射ミラー２４４，２４５とを経由して、Ｂ光を画像信号に応じて変調する液晶ライトバルブ２１０Ｂに入射する。液晶ライトバルブ２１０Ｂは、Ｂ光を画像信号に応じて変調する透過型の液晶ライトバルブである。また、液晶ライトバルブ２１０Ｂに接する状態で入射側偏光板２１１Ｂと出射側偏光板２１２Ｂが配置されている。液晶ライトバルブ２１０Ｂで変調されたＢ光は、色合成光学系であるクロスダイクロイックプリズム２６０に入射する。
【００３４】
色合成光学系であるクロスダイクロイックプリズム２６０は、２つのダイクロイック膜をＸ字型に直交して配置して構成されている。クロスダイクロイックプリズム２６０は、変調されたＲ光、Ｇ光及びＢ光を合成する。投射光学系２５０は、クロスダイクロイックプリズム２６０で合成された光をスクリーンに投射する３枚の投射レンズ２５１と、投射レンズ２５１を移動して投射像の大きさを調節する電動ズーム２５３と、投射レンズ２５１を移動して投射像のピント状態を調節する電動フォーカス２５２とを備えている。これにより、スクリーン上でフルカラー画像を得ることができる。
【００３５】
次に、図５を参照して、上述した画像表示システムの動作を説明する。図５は、本実施形態における画像表示システムの動作を示す概略図である。
この図は、説明者がＰＣ３を操作してスライドを進めながらプレゼンテーションを行う場合の、プロジェクタ１及び２が表示する画像を示す。最上段の画像は、プロジェクタ１が表示する画像を表す。また、最下段の画像は、プロジェクタ２が表示する画像を表す。また、中段の画像は、プロジェクタ１のメモリ１０７が記憶する画像を表す。二重の四角で示す画像は、プロジェクタ２に表示するために選択されている画像を表す。また、図５における横軸は、説明者の操作に応じた各ステップを時間軸で示している。
【００３６】
まず、ステップＳ１において、ＰＣ３は、プロジェクタ１に対して映像信号の出力を開始する。ここで出力する映像信号は、画像Ａを表示するための映像信号である。ＰＣ３からの映像信号は、プロジェクタ１のＡＤＣ１０１によりアナログ信号からデジタル信号に変換される。そして、スケーリング回路１０３が、ＡＤＣ１０１によりデジタル化された映像信号をライトバルブ１０６に対応した画素数に変換してＤＡＣ１０４に出力する。ＤＡＣ１０４は、デジタル化された映像信号をアナログ信号に変換してドライバ１０５に出力する。ドライバ１０５は、ライトバルブ１０６を駆動して入力された映像信号の画像Ａを投射する。ここで、光源２２１から供給される白色光が、Ｒ光透過ダイクロイックミラー２３１及びＢ光透過ダイクロイックミラー２３３によりＲ光、Ｇ光、Ｂ光に分離されてそれぞれ対応するライトバルブ１０６（液晶ライトバルブ２１０Ｒ、液晶ライトバルブ２１０Ｇ、液晶ライトバルブ２１０Ｂ）を照射している。ライトバルブ１０６は、映像信号に応じて入射される透過光を変調してクロスダイクロイックプリズム２６０に入射する。クロスダイクロイックプリズム２６０は、液晶ライトバルブ２１０Ｒ、液晶ライトバルブ２１０Ｇ及び液晶ライトバルブ２１０Ｂにより変調されたＲ光、Ｇ光及びＢ光を合成する。そして、投射光学系２５０の投射レンズ２５１が、クロスダイクロイックプリズム２６０で合成された光を第１画面上に投射する。これにより、プロジェクタ１は、入力された映像信号に基づいて画像Ａを第１画面上に表示する。
【００３７】
次に、ステップＳ２において、説明者がＰＣ３を操作すると、ＰＣ３は、プロジェクタ１に出力する映像信号を、画像Ｂを表示するための映像信号に切り替える。プロジェクタ１は、入力された映像信号に基づいて画像Ｂを第１画面上に表示する。
次に、ステップＳ３において、説明者がリモコン４の書き込みボタン４０１を押下すると、リモコン４が、書き込みボタン４０１を押下されたことをプロジェクタ１に通知する。プロジェクタ１では、リモコン受信部１０９が、リモコン４からの操作内容（書き込みボタン４０１押下）を受信する。そして、コントローラ１０８が、メモリ１０７に対して書き込み指示を出力する。メモリ１０７は、ＡＤＣ１０１から入力されている１フレーム分の画像情報を記憶する。ここで記憶される画像情報は、画像Ｂの画像情報である。また、選択されている画像は画像Ｂである。
【００３８】
次に、ステップＳ４において、説明者がＰＣ３を操作すると、ＰＣ３は、プロジェクタ１に出力する映像信号を、画像Ｃを表示するための映像信号に切り替える。プロジェクタ１は、入力された映像信号に基づいて画像Ｃを第１画面上に表示する。
次に、ステップＳ５において、説明者がリモコン４の書き込みボタン４０１を押下すると、リモコン４が、書き込みボタン４０１を押下されたことをプロジェクタ１に通知する。プロジェクタ１では、リモコン受信部１０９が、リモコン４からの操作内容（書き込みボタン４０１押下）を受信する。そして、コントローラ１０８が、メモリ１０７に対して書き込み指示を出力する。メモリ１０７は、ＡＤＣ１０１から入力されている１フレーム分の画像情報をメモリ１０７に記憶する。ここで記憶される画像情報は、画像Ｃの画像情報である。また、図５に示す例では、最先に記憶された画像Ｂが選択されている画像となる。なお、ステップＳ１からＳ５では、プロジェクタ２は全黒又は全青の画面を表示する。
【００３９】
次に、ステップＳ６において、説明者がリモコン４のＯＮ／ＯＦＦボタン４０２を押下すると、リモコン４が、ＯＮ／ＯＦＦボタン４０２を押下されたことをプロジェクタ１に通知する。プロジェクタ１では、リモコン受信部１０９がリモコン４からの操作内容（ＯＮ／ＯＦＦボタン４０２押下）を受信する。そして、コントローラ１０８が、現在選択されている画像Ｂの読み出し指示を読み出し部１１０に出力する。読み出し部１１０は、メモリ１０７に記憶されている画像Ｂの画像情報を読み出し、読み出した画像情報をＤＡＣ１１１に出力する。ＤＡＣ１１１は、入力された画像情報をアナログの映像信号に変換し、Ｉ／Ｆ１１２を介してプロジェクタ２に出力する。プロジェクタ２は、入力された映像信号に基づいて、画像Ｂを第２画面に表示する。
【００４０】
次に、ステップＳ７において、説明者がＰＣ３を操作すると、ＰＣ３は、プロジェクタ１に出力する映像信号を、画像Ｄを表示するための映像信号に切り替える。プロジェクタ１は、入力された映像信号に基づいて画像Ｄを第１画面上に表示する。
次に、ステップＳ８において、説明者がＰＣ３を操作すると、ＰＣ３は、プロジェクタ１に出力する映像信号を、画像Ｅを表示するための映像信号に切り替える。プロジェクタ１は、入力された映像信号に基づいて画像Ｅを第１画面上に表示する。
【００４１】
次に、ステップＳ９において、説明者がリモコン４の書き込みボタン４０１を押下すると、リモコン４が、書き込みボタン４０１を押下されたことをプロジェクタ１に通知する。プロジェクタ１では、リモコン受信部１０９が、リモコン４からの操作内容（書き込みボタン４０１押下）を受信する。そして、コントローラ１０８が、メモリ１０７に対して書き込み指示を出力する。メモリ１０７は、ＡＤＣ１０１から入力されている１フレーム分の画像情報をメモリ１０７に記憶する。ここで記憶される画像情報は、画像Ｅの画像情報である。また、選択されている画像は、最先に記憶された画像Ｂである。
【００４２】
次に、ステップＳ１０において、説明者がリモコン４の先送りボタン４０３を押下すると、リモコン４が、先送りボタン４０３を押下されたことをプロジェクタ１に通知する。プロジェクタ１では、リモコン受信部１０９が、リモコン４からの操作内容（先送りボタン４０３押下）を受信する。そして、コントローラ１０８は、現在選択されている画像Ｂの次に記憶された画像Ｃを選択し、読み出し部１１０に対して画像Ｃの読み出し指示を出力する。読み出し部１１０は、画像Ｃの画像情報を読み出し、読み出した画像情報をＤＡＣ１１１に出力する。ＤＡＣ１１１は、入力された画像情報をアナログの映像信号に変換し、Ｉ／Ｆ１１２を介してプロジェクタ２に出力する。プロジェクタ２は、入力された映像信号に基づいて、画像Ｃを第２画面に表示する。
なお、図５に示す例では、最先に記憶された画像を選択されている画像としたが、新たに記憶された画像を選択されている画像としてもよい。
【００４３】
このように、本実施形態によれば、プレゼンテーションの途中で、後に第２画面に表示したいスライドがある場合に、説明者は、第１の画面に表示されている状態でリモコン４の書き込みボタン４０１を押すことでそのスライドの画像を記憶させることができる。そして、プレゼンテーションが進む途中で記憶させたスライドを第２画面に表示することができるため、記憶させたスライドを現在第１画面に表示しているスライドと並べて表示することができる。
このため、例えば、第２画面に目次のスライドを表示しておけば、現在説明している事項が全体のどのような位置付けにあるのかを提示できるので、聴衆の理解を促進することができる。また、予測と結果、仮説と実証結果のように対比する事項が書かれたスライドを並べて表示することで、表示サイズを小さくすることなく対比して見ることができるので、理解を促進することができる。さらに、一画面用に作成したプレゼンテーションのコンテンツを何も加工することなく使うことができるので、特別な準備などが不要であり、コンテンツを効率よく使うことができる。
また、第２画面は任意のタイミングで表示のＯＮ／ＯＦＦができるので、第２画面を消すことにより聴衆を第１画面に集中させることができる。また、次のプレゼンテーションのコンテンツの準備を行なう場合に、その前に行なったプレゼンテーションで記憶させたスライドを表示しておくことにより、聴衆に無意味な情報を提示するのではなく、有益な情報を提示しておくことができる。
【００４４】
なお、本実施形態では、プロジェクタ１はＰＣ３から入力される映像信号の画像を表示しているが、メモリ１０７が記憶する画像情報の画像を表示してもよい。この場合におけるプロジェクタ１の機能構成を示すブロック図を図６に示す。図６に示すプロジェクタ１は、図１に示す構成に加えて読み出し部１１５がＡＤＣ１０１とスケーリング回路１０３の間に設けられている。また、リモコン４には、切り替えボタンが備えられることになる。
コントローラ１０８は、リモコン４から切り替えボタン押下の通知を受けると、読み出し部１１５に対して映像信号の切り替え指示を出力する。具体的には、コントローラ１０８は、現在、読み出し部１１５がＡＤＣ１０１から入力されている映像信号をスケーリング回路１０３に出力している場合には、メモリ１０７から読み出した画像情報をスケーリング回路１０３に出力する指示を出力する。また、コントローラ１０８は、現在、読み出し部１１５がメモリ１０７から読み出した画像情報をスケーリング回路１０３に出力している場合には、ＡＤＣ１０１から入力される映像信号をスケーリング回路１０３に出力する指示を出力する。読み出し部１１５（第１の読み出し部）は、コントローラ１０８の指示に応じて、スケーリング回路１０３に画像情報を出力する。
また、戻りボタン及び先送りボタンを設けて読み出し部１１５がメモリ１０７から読み出す画像情報を選択できるようにしてもよい。
【００４５】
次に、この発明の第２の実施形態による画像表示システムについて説明する。
図７は、本実施形態による画像表示システムの構成を示す概略図である。
画像表示システムは、プレゼンテーション用のアプリケーションを起動するパーソナルコンピュータ（ＰＣ）８と、プロジェクタ６（ＰＪ６）及び７（ＰＪ７）と、映像信号分配器５と、映像信号分配器５を操作するリモコン９とを含んで構成される。
ＰＣ８の映像信号出力端子と映像信号分配器５の映像信号入力端子とは接続されており、ＰＣ８から出力される映像信号は映像信号分配器５に入力される。また、映像信号分配器５の第１の映像信号出力端子とプロジェクタ６の映像信号入力端子とは接続されており、映像信号分配器５から出力される映像信号はプロジェクタ６に入力される。また、映像信号分配器５の第２の映像信号出力端子とプロジェクタ７の映像信号入力端子とは接続されており、映像信号分配器５から出力される映像信号はプロジェクタ７に入力される。本実施形態における映像信号は、アナログの映像信号であり、赤（Ｒ）、緑（Ｇ）、青（Ｂ）三色の映像信号と水平（Ｈ）、垂直（Ｖ）の同期信号から構成される。
映像信号分配器５は、ＰＣ８から入力された映像信号をプロジェクタ６及び７に出力する。プロジェクタ６（第１の画像表示装置）は、映像信号分配器５から入力された映像信号の画像を第１画面に投射するプロジェクタである。また、プロジェクタ７（第２の画像表示装置）は、映像信号分配器５から入力された映像信号の画像を第２画面に投射するプロジェクタである。なお、リモコン９の外観構成は第１の実施形態と同様なため説明を省略する。
【００４６】
図８は、本実施形態における映像信号分配器５の機能構成を示すブロック図である。
映像信号分配器５は、アナログデジタルコンバータ（ＡＤＣ）５０３と、メモリ５０５と、デジタルアナログコンバータ（ＤＡＣ）５０８と、インタフェース（Ｉ／Ｆ）５０９と、読み出し部５１０と含んで構成されるＲ，Ｇ，Ｂ３色それぞれに対応した３つの回路と、３色で共通する分配回路５０１と、タイミング回路５０２と、改ページ検出部５０４と、コントローラ５０６と、リモコン受信部５０７と、を含んで構成される。
分配回路５０１は、映像信号入力端子５１１から入力された映像信号を、インピーダンス整合が乱れないように２つに分けて、映像信号出力端子５１２（第１の出力部）とＡＤＣ５０３へ出力する。タイミング回路５０２は、映像信号に含まれる同期信号に基づいて、ＡＤＣ５０３のサンプリングクロックなどの全体の動作に必要な各種タイミング信号を生成する。ＡＤＣ５０３は、入力された映像信号をデジタル化して改ページ検出部５０４及びメモリ５０５に出力する。改ページ検出部５０４（画像切替検出部）は、入力された映像信号において画面（フレーム）が切り替わったことを検出し、コントローラ５０６に通知する。リモコン受信部５０７は、リモコン９の操作内容を受信し、コントローラ５０６に出力する。コントローラ５０６は、リモコン受信部５０７が受信した操作内容又は改ページ検出部５０４からの通知に基づいて、画像情報を記憶する指示をメモリ５０５に出力する。メモリ５０５は、記憶回路であり、コントローラ５０６の指示に応じて、ＡＤＣ５０３から入力される一画面（フレーム）毎の画像情報を記憶する。つまり、メモリ５０５（記憶部）は、改ページ検出部５０４が画面の切り替わりを検出した場合に、入力される映像信号により表示される一画面分の画像情報を記憶する。また、コントローラ５０６は、リモコン受信部５０７が受信した操作内容に基づいて、読み出し部５１０に対して読み出す画像情報を指示する。また、コントローラ５０６は、改ページ検出部５０４から画面切り替わりの通知を受けると、自動的にプロジェクタ６に表示中の画像の１つ前の画像を選択して、その画像の画像情報を読み出す指示を読み出し部５１０に対して出力する。読み出し部５１０は、コントローラ５０６の指示に基づいてメモリ５０５から画像情報を読み出し、読み出した画像情報をＤＡＣ５０８に出力する。ＤＡＣ５０８は、入力された画像情報をアナログの映像信号に変換し、変換した映像信号をＩ／Ｆ５０９を介して映像信号出力端子５１３（第２の出力部）へ出力する。
【００４７】
図９は、本実施形態における分配回路５０１の具体的な回路例を示す。
入力された映像信号は、終端抵抗器で終端し、６ｄＢの広帯域増幅器で増幅し、バッファアンプとインピーダンスマッチング用の抵抗器を介して２つの出力端子に出力される。なお、出力の先にケーブルを介して接続されるプロジェクタは入力が終端抵抗器で終端され、入力信号レベルがバッファアンプの出力信号レベルの１／２になるために、広帯域増幅器が必要となる。また、図では入出力を個別のＢＮＣコネクタで示したが、まとめたＶＧＡコネクタであっても同様である。
【００４８】
図１０は、本実施形態における改ページ検出部５０４の機能構成を示すブロック図である。
改ページ検出部５０４は、フレームメモリ５１と、差分絶対値回路５２と、総和回路５３と、スレッシュホールド設定部５４と、比較回路５５と、を含んで構成される。
改ページ検出部５０４に入力されたＲ，Ｇ，Ｂ３色それぞれの映像信号は、まとめて１つの輝度信号に変換され、フレームメモリ５１と差分絶対値回路５２に入力される。フレームメモリ５１は、現在記憶している1フレーム分の映像信号を差分絶対値回路５２に出力し、記憶している映像信号を新たに入力された1フレーム分の映像信号に書き換える。差分絶対値回路５２は、入力された２つの映像信号における差分の絶対値（差分情報）を算出し、総和回路５３に出力する。総和回路５３は、入力された絶対値の１フレーム分の総和を算出して比較回路５５に出力する。スレッシュホールド設定部５４は、スレッシュホールド値を比較回路５５に出力する。スレッシュホールド値は予め設定されている。比較回路５５は、入力された総和がスレッシュホールド値より大きい場合に、画面が切り替わったと判定し、コントローラ５０６に通知する。
なお、入力された２つの映像信号の高域成分が多い場合、つまり、画面に文字が多い場合には、スレッシュホールド設定部５４は出力するスレッシュホールド値を小さくする。或いは、入力された２つの映像信号の高域成分が多い場合には、差分絶対値回路５２が算出した絶対値にゲインを持たせて感度を変更してもよい。
また、改ページ検出部５０４は、フレーム上の一部の領域のみを比較するようにしてもよい。例えば、画面上の特定の場所にページ番号が表示されている場合などは、ページ番号が表示される領域のみを比較すれば画面が切り替わったことを判定できる。よって、改ページ検出部５０４は、ページ番号が表示される可能性が高い特定のヘッダ領域又はフッター領域のみの比較し画面が切り替わったことの判定を行ってもよい。
また、本実施形態では、改ページ検出部５０４は、Ｒ，Ｇ，Ｂ３色の映像信号を１つの輝度信号に変換して画面が切り替わったことを検出しているが、Ｒ，Ｇ，Ｂいずれかの映像信号１つを選択して画面が切り替わったことを検出してもよい。
【００４９】
次に、図１１を参照して、上述した画像表示システムの動作を説明する。図１１は、本実施形態における画像表示システムの動作を示す概略図である。
図１１は、説明者がＰＣ８を操作してスライドを進めながらプレゼンテーションを行う場合の、プロジェクタ６及び７が表示する画像を示す。最上段の画像は、プロジェクタ６が表示する画像を表す。最下段の画像は、プロジェクタ７が表示する画像を表す。中段の画像は、映像信号分配器５のメモリ５０５が記憶する画像を表す。二重の四角で示す画像は、プロジェクタ７に表示するために選択されている画像を表す。また、図１１における横軸は、説明者の操作に応じた各ステップを時間軸で示している。
【００５０】
まず、ステップＴ１において、ＰＣ８は、映像信号分配器５に対して映像信号の出力を開始する。ここで出力する映像信号は、画像Ａを表示するための映像信号である。映像信号分配器５では、分配回路５０１が入力された映像信号をＡＤＣ５０３とプロジェクタ６とに出力する。プロジェクタ６は、入力された映像信号に基づいて画像Ａを第１画面上に表示する。一方、ＡＤＣ５０３は、入力された映像信号をデジタル化してメモリ５０５及び改ページ検出部５０４に出力する。改ページ検出部５０４は、画面が切り替わったことを検出し、その旨をコントローラ５０６に通知する。通知を受けたコントローラ５０６は、メモリ５０５に対して書き込み指示を出力する。メモリ５０５は、ＡＤＣ５０３から入力されている画像Ａの画像情報を記憶する。
【００５１】
次に、ステップＴ２において、説明者がＰＣ８を操作すると、ＰＣ８は、映像信号分配器５に出力する映像信号を、画像Ｂを表示するための映像信号に切り替える。映像信号分配器５では、分配回路５０１が入力された映像信号をＡＤＣ５０３とプロジェクタ６とに出力する。プロジェクタ６は、入力された映像信号に基づいて画像Ｂを第１画面上に表示する。一方、ＡＤＣ５０３は、入力された映像信号をデジタル化してメモリ５０５及び改ページ検出部５０４に出力する。改ページ検出部５０４は、画像Ａから画像Ｂに画面が切り替わったことを検出し、その旨をコントローラ５０６に通知する。通知を受けたコントローラ５０６は、メモリ５０５に対して書き込み指示を出力する。メモリ５０５は、ＡＤＣ５０３から入力されている画像Ｂの画像情報を記憶する。また、コントローラ５０６は、新たに記憶された画像Ｂの１つ前に記憶された画像Ａを選択し、読み出し部５１０に対して画像Ａを読み出す指示を出力する。図６に示す例では、コントローラ５０６は、プロジェクタ６に表示中の画像の１つ前の画像を選択された画像とする。読み出し部５１０は、メモリ５０５から画像Ａの画像情報を読み出し、ＤＡＣ５０８に出力する。ＤＡＣ５０８は、入力された画像情報をアナログの映像信号に変換し、Ｉ／Ｆ５０９を介してプロジェクタ７に出力する。プロジェクタ７は、入力された映像信号に基づいて画像Ａを第２画面に表示する。
【００５２】
次に、ステップＴ３において、説明者がＰＣ８を操作すると、ＰＣ８は、映像信号分配器５に出力する映像信号を、画像Ｃを表示するための映像信号に切り替える。映像信号分配器５では、分配回路５０１が入力された映像信号をＡＤＣ５０３とプロジェクタ６とに出力する。プロジェクタ６は、入力された映像信号に基づいて画像Ｃを第１画面上に表示する。一方、ＡＤＣ５０３は、入力された映像信号をデジタル化してメモリ５０５及び改ページ検出部５０４に出力する。改ページ検出部５０４は、画像Ｂから画像Ｃに画面が切り替わったことを検出し、その旨をコントローラ５０６に通知する。通知を受けたコントローラ５０６は、メモリ５０５に対して書き込み指示を出力する。メモリ５０５は、ＡＤＣ５０３から入力されている画像Ｃの画像情報を記憶する。また、コントローラ５０６は、プロジェクタ６に表示中の画像Ｃの１つ前の画像Ｂを選択し、読み出し部５１０に対して画像Ｂを読み出す指示を出力する。読み出し部５１０は、メモリ５０５から画像Ｂの画像情報を読み出し、ＤＡＣ５０８に出力する。ＤＡＣ５０８は、入力された画像情報をアナログの映像信号に変換し、Ｉ／Ｆ５０９を介してプロジェクタ７に出力する。プロジェクタ７は、入力された映像信号に基づいて画像Ｂを第２画面に表示する。
【００５３】
次に、ステップＴ４において、説明者がＰＣ８を操作すると、ＰＣ８は、映像信号分配器５に出力する映像信号を、画像Ｄを表示するための映像信号に切り替える。映像信号分配器５では、分配回路５０１が入力された映像信号をＡＤＣ５０３とプロジェクタ６とに出力する。プロジェクタ６は、入力された映像信号に基づいて画像Ｄを第１画面上に表示する。一方、ＡＤＣ５０３は、入力された映像信号をデジタル化してメモリ５０５及び改ページ検出部５０４に出力する。改ページ検出部５０４は、画像Ｃから画像Ｄに画面が切り替わったことを検出し、その旨をコントローラ５０６に通知する。通知を受けたコントローラ５０６は、メモリ５０５に対して書き込み指示を出力する。メモリ５０５は、ＡＤＣ５０３から入力されている画像Ｄの画像情報を記憶する。また、コントローラ５０６は、プロジェクタ６に表示中の画像Ｄの１つ前の画像Ｃを選択し、読み出し部５１０に対して画像Ｃを読み出す指示を出力する。読み出し部５１０は、メモリ５０５から画像Ｃの画像情報を読み出し、ＤＡＣ５０８に出力する。ＤＡＣ５０８は、入力された画像情報をアナログの映像信号に変換し、Ｉ／Ｆ５０９を介してプロジェクタ７に出力する。プロジェクタ７は、入力された映像信号に基づいて画像Ｃを第２画面に表示する。
【００５４】
次に、ステップＴ５において、説明者がリモコン９の戻りボタン４０４を２回押下すると、リモコン９が、戻りボタン４０４が２回押下されたことを映像信号分配器５に通知する。映像信号分配器５では、リモコン受信部５０７が、リモコン９から操作内容（２回戻りボタン４０４押下）の指示を受信する。そして、コントローラ５０６が、読み出し部５１０に対して、現在選択されている画像Ｃから２つ前に記憶された画像Ａの画像情報を読み出す指示を出力する。読み出し部５１０は、画像Ａの画像情報を読み出し、ＤＡＣ５０８に出力する。ＤＡＣ５０８は、入力された画像情報をアナログの映像信号に変換し、Ｉ／Ｆ５０９を介してプロジェクタ７に出力する。プロジェクタ７は、入力された映像信号に基づいて画像Ａを第２画面に表示する。
【００５５】
次に、ステップＴ６において、説明者がＰＣ８を操作すると、ＰＣ８は、映像信号分配器５に出力する映像信号を、画像Ｅを表示するための映像信号に切り替える。映像信号分配器５では、分配回路５０１が入力された映像信号をＡＤＣ５０３とプロジェクタ６とに出力する。プロジェクタ６は、入力された映像信号に基づいて画像Ｅを第１画面上に表示する。一方、ＡＤＣ５０３は、入力された映像信号をデジタル化してメモリ５０５及び改ページ検出部５０４に出力する。改ページ検出部５０４は、画像Ｄから画像Ｅに画面が切り替わったことを検出し、その旨をコントローラ５０６に通知する。通知を受けたコントローラ５０６は、メモリ５０５に対して書き込み指示を出力する。メモリ５０５は、ＡＤＣ５０３から入力されている画像Ｅの画像情報を記憶する。また、コントローラ５０６は、プロジェクタ６に表示中の画像Ｅの１つ前の画像Ｄを選択し、画像Ｄの画像情報を読み出す指示を読み出し部５１０に対して出力する。読み出し部５１０は、メモリ５０５から画像Ｄの画像情報を読み出し、ＤＡＣ５０８に出力する。ＤＡＣ５０８は、入力された画像情報をアナログの映像信号に変換し、Ｉ／Ｆ５０９を介してプロジェクタ７に出力する。プロジェクタ７は、入力された映像信号に基づいて画像Ｄを第２画面に表示する。
【００５６】
次に、ステップＴ７において、説明者がＰＣ８を操作すると、ＰＣ８は、映像信号分配器５に出力する映像信号を、画像Ｆを表示するための映像信号に切り替える。映像信号分配器５では、分配回路５０１が入力された映像信号をＡＤＣ５０３とプロジェクタ６とに出力する。プロジェクタ６は、入力された映像信号に基づいて画像Ｆを第１画面上に表示する。一方、ＡＤＣ５０３は、入力された映像信号をデジタル化してメモリ５０５及び改ページ検出部５０４に出力する。改ページ検出部５０４は、画像Ｅから画像Ｆに画面が切り替わったことを検出し、その旨をコントローラ５０６に通知する。通知を受けたコントローラ５０６は、メモリ５０５に対して書き込み指示を出力する。メモリ５０５は、ＡＤＣ５０３から入力されている画像Ｆの画像情報を記憶する。また、コントローラ５０６は、プロジェクタ６に表示中の画像Ｆの１つ前の画像Ｅを選択し、読み出し部５１０に対して画像Ｅの画像情報を読み出す指示を出力する。読み出し部５１０は、メモリ５０５から画像Ｅの画像情報を読み出し、ＤＡＣ５０８に出力する。ＤＡＣ５０８は、入力された画像情報をアナログの映像信号に変換し、Ｉ／Ｆ５０９を介してプロジェクタ７に出力する。プロジェクタ７は、入力された映像信号に基づいて画像Ｅを第２画面に表示する。
【００５７】
次に、ステップＴ８において、説明者がリモコン９のＯＮ／ＯＦＦボタン４０２を押下すると、リモコン９が、ＯＮ／ＯＦＦボタン４０２が押下された旨を映像信号分配器５に対して送信する。映像信号分配器５では、リモコン受信部５０７がリモコン９から操作内容（ＯＮ／ＯＦＦボタン４０２押下）を受信する。そして、コントローラ５０６が、読み出し部５１０に対して、画像情報の読み出しを停止する指示を出力する。読み出し部５１０は、画像Ｅの画像情報の読み出しを停止する。これにより、プロジェクタ７に入力される映像信号が停止するので、プロジェクタ７は全黒又は全青などの画面を第２画面に表示する。
【００５８】
このように、本実施形態によれば、プレゼンテーションでスライドを順送りするだけで、第２の画面には常に一つ前のスライドを表示することができるので、聴衆が第１画面に表示されたスライドで見落とした部分があった場合にも、第２画面によって確認することができる。
また、第２画面には、第１画面の表示を変えることなくすでに第１画面で表示したスライドから選択して表示することができるので、例えば現在説明している事項が全体のどのような位置付けにあるのかを第２画面に目次のスライドを表示して聴衆の理解を促進することができる。また、予測と結果、仮説と実証結果のように対比する事項を並べて表示することで、表示サイズを小さくすることなく、異なるスライドを並べて表示することができるため、聴衆の理解を促進することができる。さらに、一画面用に作成したプレゼンテーションのコンテンツを何も加工することなく使うことができるので、特別な準備などが不要であり、コンテンツを効率よく使うことができる。
また、第１画面に表示した情報は自動的にメモリに記憶されるので、いつでも第２画面に表示することができる。
【００５９】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００６０】
例えば、本実施形態ではリモコン４又は９を用いて第２画面の表示内容を指示しているが、ＰＣ３又は８から指示できるようにしてもよい。また、ＰＣ３又は８にカメラを接続して説明者を撮影し、説明者の手の動きに応じて第２画面の表示内容を決定してもよい。
【００６１】
図１２は、説明者の手の動きとリモコン４又は９の操作ボタン部４１と対応付ける対応テーブルのデータ構造とデータ例を示す概略図である。この対応テーブルは、ＰＣ３又は８に記憶されている。図示するように、対応テーブルは、行と列からなる２次元の表形式のデータであり、手の動きと、対応するボタンの各項目の列を有している。手の動きは、手の動きのパターンを表す。対応するボタンは、操作ボタン部４１に設置されているボタンを表す。
この図に示す例では、１行目のデータは、手の動き「右上」に対応するボタンは先送りボタン４０３であることを表す。２行目のデータは、手の動き「右下」に対応するボタンは戻りボタン４０４であることを表す。3行目のデータは、手の動き「右下左上」に対応するボタンは書き込みボタン４０１であることを表す。４行目のデータは、手の動き「左下右上」に対応するボタンはＯＮ／ＯＦＦボタン４０２であることを表す。
【００６２】
図１３は、ＰＣ３又は８の画面操作処理の流れを示すフローチャートである。
まず、ステップＳ１０１では、ＰＣ３又は８は、カメラで撮影した動画像（時間的に連続した複数の画像情報）を取得する。カメラは、説明者を撮像している。
次に、ステップＳ１０２では、ＰＣ３又は８は、取得した動画像を用いてオプティカルフローを検出する。オプティカルフローとは、時間的に連続した複数の画像の中で物体の動きをベクトルで表したものである。オプティカルフローの検出方法として、勾配法及びブロックマッチング法などが存在する。勾配法では、輝度の時間/空間的微分（輝度勾配）の拘束方程式を用いて、これに制約条件を付加することでフローを求める。また、ブロックマッチング法では、画像中のあるブロックをテンプレートとして、次時間の画像中からマッチする個所を探索することでフローを求める。これにより、ＰＣ３又は８は、説明者の手の動きのパターンを取得する。
次に、ステップＳ１０３では、ＰＣ３又は８は、対応テーブルを参照して、取得した手の動きのパターンに対応するボタンを読み出す。
そして、ステップＳ１０４では、ＰＣ３又は８は、読み出したボタンが押下された旨をプロジェクタ１又は映像信号分配器５に送信する。ＰＣ３又は８から送信された指示は、プロジェクタ１又は映像信号分配器５のリモコン受信部１０９又は５０７にて受信される。
このように、説明者がジェスチャー動作を行うことにより、リモコン４又９を操作することなく画面操作を行うことができる。
【００６３】
なお、第２の実施形態では、改ページ検出部５０４は、映像信号を比較して画面の切り替わりを検出しているが、例えば、ＰＣ８（画像出力装置）に対する画面の切り替え信号を検出し、検出した切り替え信号に基づいて、画面が切り替わったことを検出してもよい。改ページ検出部５０４は、例えば、ＰＣ８を操作するコントローラからＰＣ８に送信された切り替え信号を横読みして切り替え信号を検出する。或いは、ＰＣ８から改ページ検出部５０４に切り替え信号を送信してもよい。
【００６４】
なお、本実施形態では、プロジェクタを用いて２つの画面を表示しているが、例えばＦＰＤ（フラットパネルディスプレイ）などを用いてもよい。
また、例えば第１画面を大型のフロントプロジェクタ、第２画面を小型のＦＰＤで表示してもよい。さらには、第２画面を複数備える構成としてもよい。
【図面の簡単な説明】
【００６５】
【図１】第１の実施形態による画像表示システムの構成を示す概略図である。
【図２】本実施形態におけるプロジェクタの機能構成を示すブロック図である。
【図３】本実施形態におけるリモコンの構成を示す概略図である。
【図４】本実施形態におけるプロジェクタの光学系を示す概略図である。
【図５】本実施形態における画像表示システムの動作を示す概略図である。
【図６】他の実施例におけるプロジェクタの機能構成を示すブロック図である。
【図７】第２の実施形態による画像表示システムの構成を示す概略図である。
【図８】本実施形態における映像信号分配器の機能構成を示すブロック図である。
【図９】本実施形態における分配回路の具体的な回路例を示す。
【図１０】本実施形態における改ページ検出部の機能構成を示すブロック図である。
【図１１】本実施形態における画像表示システムの動作を示す概略図である。
【図１２】対応テーブルのデータ構造とデータ例を示す概略図である。
【図１３】画面操作処理の流れを示すフローチャートである
【符号の説明】
【００６６】
１，２，６，７…プロジェクタ  ３，８…パーソナルコンピュータ  ４…リモコン  ４１…操作ボタン部  ４２…レーザー光ＯＮスイッチ  ５１…フレームメモリ  ５２…差分絶対値回路  ５３…総和回路  ５４…スレッシュホールド設定部  ５５…比較回路  １０１，５０３…ＡＤＣ  １０２，５０２…タイミング回路  １０３…スケーリング回路  １０４，１１１，５０８…ＤＡＣ  １０５…ドライバ  １０６…ライトバルブ  １０７，５０５…メモリ  １０８，５０６…コントローラ  １０９，５０７…リモコン受信部  １１０，１１５，５１０…読み出し部  １１２，５０９…Ｉ／Ｆ  ４０１…書き込みボタン  ４０１…  ＯＮ／ＯＦＦボタン  ４０３…先送りボタン  ４０４…戻りボタン  ５０１…分配回路  ５０４…改ページ検出部
【図１】
2010117495.tif 000003
【図２】
2010117495.tif 000004
【図３】
2010117495.tif 000005
【図４】
2010117495.tif 000006
【図５】
2010117495.tif 000007
【図６】
2010117495.tif 000008
【図７】
2010117495.tif 000009
【図８】
2010117495.tif 000010
【図９】
2010117495.tif 000011
【図１０】
2010117495.tif 000012
【図１１】
2010117495.tif 000013
【図１２】
2010117495.tif 000014
【図１３】
2010117495.tif 000015